(57)【特許請求の範囲】
【請求項１】
複数の入力項目からなるシート面が複数綴られたブックレットがその用途に応じて複数種類用意され、使用用途に応じてその内の何れか１つの種類のブックレットを選択して着脱可能であり、折り畳み式の本体側筐体と蓋側筐体とからなる入力端末装置であって、
前記各種類のブックレット毎に、そのブックレットに綴じられる複数枚のシート面毎であって、そのシート面に含まれる各入力項目毎のキー出力情報をテーブルとして記憶する記憶手段と、
前記複数種類のブックレットの内で何れか１つの種類のブックレットが選択されて装着され、前記本体側筐体と前記蓋側筐体とが開かれた状態で、その本体側筐体に設けられた第１検出面と前記蓋側筐体に設けられた第２検出面との上面において前記装着されたブックレットの何れかの２枚のシート面が開かれた際は、その選択されたブックレットに含まれる複数枚のシート面の内で何れの２枚のシート面が前記本体側筐体と前記蓋側筐体との上面で開かれているかを判定する判定手段と、
前記本体側筐体と前記蓋側筐体の上で開かれた前記２枚のシート面の何れかのシート面における何れかの入力項目に対する入力操作が行われた際は、その時に開かれている前記２枚のシート面の判定結果と、前記本体側筐体の前記第１検出面と前記蓋側筐体の前記第２検出面の何れの検出面を検出したかに基づいて、前記選択されて装着された種類のブックレットの内で何れの１枚のシート面に対する操作かを特定する特定手段と、
前記特定手段で特定された１枚のシート面に対応するテーブルを前記記憶手段から検索して参照し、当該シート面で入力操作された入力項目に対応したキー出力情報を出力する出力制御手段と、
を具備したことを特徴とする入力端末装置。
【請求項２】
前記特定手段で特定されたシート面が前記ブックレットの何れのシート面なのかを当該シート面を操作したユーザが分かるように、音あるいは表示色により識別可能に出力する識別出力手段と、
を更に具備したことを特徴とする請求項１に記載の入力端末装置。
【請求項３】
前記ブックレットは、前記複数のシート面がブックレットヒンジ部を介して冊子上に綴じられており、
当該入力端末装置は、前記ブックレットヒンジ部が、当該入力端末装置を折り畳み可能に構成する端末側ヒンジ部と当接する位置に合わせることで当該ブックレットを装着して保持する、
ことを特徴とする請求項１又は２に記載の入力端末装置。
【請求項４】
前記ブックレットヒンジ部には磁石等の検知体が設けられると共に、前記端末側ヒンジ部には前記検知体の近接と離間とを検知する検知センサが設けられ、
前記ブックレットの着脱状態を前記検知センサによる検知の有無で判別するようにした、
ことを特徴とする請求項３に記載の入力端末装置。
【請求項５】
前記ブックレットは、飲食店で使用される注文用の複数枚のメニューシート面を綴じたブックレットであり、複数の季節とその営業時間帯とで決まる複数種類のメニュー用途のブックレットであり、
前記複数種類のブックレットの中から何れか１つの種類のブックレットを選択する際は、前記複数の季節の内の何れの季節であり、且つ何れの営業時間帯で使用するメニューなのかに応じて選択できるようにした、
ことを特徴とする請求項１〜４の何れか一項に記載の入力端末装置。
【請求項６】
複数の入力項目からなるシート面が複数綴られたブックレットがその用途に応じて複数種類用意され、使用用途に応じてその内の何れか１つの種類のブックレットを選択して着脱可能であり、折り畳み式の本体側筐体と蓋側筐体とからなる入力端末装置のコンピュータを制御するためのプログラムであって、
前記コンピュータを、
前記各種類のブックレット毎に、そのブックレットに綴じられる複数枚のシート面毎であって、そのシート面に含まれる各入力項目毎のキー出力情報をテーブルとして記憶する記憶手段、
前記複数種類のブックレットの内で何れか１つの種類のブックレットが選択されて装着され、前記本体側筐体と前記蓋側筐体とが開かれた状態で、その本体側筐体に設けられた第１検出面と前記蓋側筐体に設けられた第２検出面との上面において前記装着されたブックレットの何れかの２枚のシート面が開かれた際は、その選択されたブックレットに含まれる複数枚のシート面の内で何れの２枚のシート面が前記本体側筐体と前記蓋側筐体との上面で開かれているかを判定する判定手段、
前記本体側筐体と前記蓋側筐体の上で開かれた前記２枚のシート面の何れかのシート面における何れかの入力項目に対する入力操作が行われた際は、その時に開かれている前記２枚のシート面の判定結果と、前記本体側筐体の前記第１検出面と前記蓋側筐体の前記第２検出面の何れの検出面を検出したかに基づいて、前記選択されて装着された種類のブックレットの内で何れの１枚のシート面に対する操作かを特定する特定手段、
前記特定手段で特定された１枚のシート面に対応するテーブルを前記記憶手段から検索して参照し、当該シート面で入力操作された入力項目に対応したキー出力情報を出力する出力制御手段、
として機能させるようにしたコンピュータ読み取り可能なプログラム。
【発明の詳細な説明】
【技術分野】
【０００１】
本発明は、入力端末装置及びプログラムに関する。
【背景技術】
【０００２】
従来、飲食店等で使用されるＯＥＳ（Ｏｒｄｅｒ  Ｅｎｔｒｙ  Ｓｙｓｔｅｍ）においては、店員は、ハンディターミナルなどの入力端末装置を用いてゲストのメニューに対する注文を入力する。
ところで、上記メニューは、一店舗内で取り扱う商品の多様さに応じて各カテゴリに分類される形式が用いられる。例えば、飲食店のメニューであれば、朝食，昼食，夕食ごとのカテゴリ、時間帯や季節に応じたカテゴリ、等がある。そのため、例えば、ＬＣＤ（Ｌｉｑｕｉｄ  Ｃｒｙｓｔａｌ  Ｄｉｓｐｌａｙ）と一体的に構成されたタッチパネルからなる入力端末装置では、ユーザ（店員）が、当該タッチパネルで画面切換えの操作を行い、ＬＣＤ上に表示されるメニューをその都度切換えて、適切なカテゴリに応じたメニューを表示させた上で注文を入力する必要がある。また、タッチパネルを具備せず、各入力キーに複数のカテゴリに対する注文機能を割り振った入力端末装置であっても、ユーザが、シフトキー等を操作して、適切なカテゴリに応じたメニューに切換えた上で注文を入力する必要がある。
上記のような入力端末装置では、適切なカテゴリに応じたメニューを表示させる上で、ユーザの当該入力端末装置の切換え操作に習熟を要求するとともに、適切なカテゴリに応じたメニューに切換えられているか否かを把握し辛いという問題があった。
【０００３】
そこで、バインダー式に製本された複数のスイッチシートを取り付け可能で、選択された一のスイッチシート上のメニューに応じたスイッチを、ユーザが押下操作することで注文が可能な選択入力装置が知られている（例えば、特許文献１等参照）。
【先行技術文献】
【特許文献】
【０００４】
【特許文献１】特開平１０−３４０１５１号公報
【０００５】
上記特許文献１に記載の選択入力装置によると、ユーザは製本されたスイッチシートを取りかえるだけで、適切なカテゴリに応じたメニューに切換えることができるので、切換え操作が容易であるとともに、切換えた状態が容易に把握できる。
【発明の概要】
【発明が解決しようとする課題】
【０００６】
しかしながら、上記特許文献１に記載の選択入力装置では、当該スイッチシート毎にユーザの押下操作を実現させるためのスイッチパッドや回路パターンを備えているため、製造コストが嵩むという問題がある。
【０００７】
本発明の課題は、カテゴリに応じたメニューの切換え操作が容易で且つ製造コストを抑えた入力端末装置を提供することである。
【課題を解決するための手段】
【０００８】
請求項１は、複数の入力項目からなるシート面が複数綴られたブックレットがその用途に応じて複数種類用意され、使用用途に応じてその内の何れか１つの種類のブックレットを選択して着脱可能であり、折り畳み式の本体側筐体と蓋側筐体とからなる入力端末装置であって、前記各種類のブックレット毎に、そのブックレットに綴じられる複数枚のシート面毎であって、そのシート面に含まれる各入力項目毎のキー出力情報をテーブルとして記憶する記憶手段と、前記複数種類のブックレットの内で何れか１つの種類のブックレットが選択されて装着され、前記本体側筐体と前記蓋側筐体とが開かれた状態で、その本体側筐体に設けられた第１検出面と前記蓋側筐体に設けられた第２検出面との上面において前記装着されたブックレットの何れかの２枚のシート面が開かれた際は、その選択されたブックレットに含まれる複数枚のシート面の内で何れの２枚のシート面が前記本体側筐体と前記蓋側筐体との上面で開かれているかを判定する判定手段と、前記本体側筐体と前記蓋側筐体の上で開かれた前記２枚のシート面の何れかのシート面における何れかの入力項目に対する入力操作が行われた際は、その時に開かれている前記２枚のシート面の判定結果と、前記本体側筐体の前記第１検出面と前記蓋側筐体の前記第２検出面の何れの検出面を検出したかに基づいて、前記選択されて装着された種類のブックレットの内で何れの１枚のシート面に対する操作かを特定する特定手段と、前記特定手段で特定された１枚のシート面に対応するテーブルを前記記憶手段から検索して参照し、当該シート面で入力操作された入力項目に対応したキー出力情報を出力する出力制御手段と、を具備したことを特徴とする。
【発明の効果】
【００１０】
本発明によれば、カテゴリに応じたメニューの切換え操作が容易で且つ製造コストを抑えた入力端末装置を提供できる。
【図面の簡単な説明】
【００１１】
【図１】本発明の実施形態１における入力端末装置において、当該入力端末装置の閉じた状態を示す模式図である。
【図２】図１に示す入力端末装置において、当該入力端末装置の開いた状態を示す模式図である。
【図３】図２に示す入力端末装置において、当該入力端末装置よりブックレットが取り外された状態を示す模式図である。
【図４】図３に示す入力端末装置のＩＶ−ＩＶ断面図である。
【図５】図２に示す入力端末装置のＶ−Ｖ断面図である。
【図６】キー入力検出部に備わる各入力検出部の構成を模式的に説明するための図である。
【図７】シート面の各キー入力エリアと、キー入力検出部の１又は複数の入力検出部と、の対応関係を模式的に説明するための図である。
【図８】それぞれのシート面（シートＡ面〜シートＦ面）について、各キー入力エリアにメニューの項目が印字された状態を例示する図である。
【図９】本発明の実施形態１における入力端末装置の要部構成を示すブロック図である。
【図１０】電子音源部が出力するＤＴＭＦ信号の組み合わせを例示する図である。
【図１１】本発明に係るブックレットシートをめくり操作した場合の、第１センサ〜第４センサと第１磁石及び第２磁石との当接状態を例示する図であり、（ｉ）はシートＡ面及びシートＢ面が表示面の場合、（ｉｉ）はシートＣ面及びシートＤ面が表示面の場合、（ｉｉｉ）はシートＥ面及びシートＦ面が表示面の場合、をそれぞれ示す。
【図１２】各シート面に係るキー入力操作が行われた場合のシート面の判定を説明するための図である。
【図１３】本発明に係るブックレットテーブルを例示する図である。
【図１４】本発明に係る機能テーブルの具体例を例示する図であり、（ｉ）はシートＡ面、（ｉｉ）はシートＣ面、をそれぞれ示す。
【図１５】本発明に係る機能テーブルの具体例を例示する図であり、（ｉ）はシートＥ面、（ｉｉ）はシートＦ面、をそれぞれ示す。
【図１６】本発明に係る商品登録バッファデータを例示する図である。
【図１７】本発明に係るメニューカテゴリを指定する画面を説明するための図であり、（ｉ）は操作メニュー画面、（ｉｉ）は第１ブックレットメニュー画面、（ｉｉｉ）は第２ブックレットメニュー画面、（ｉｖ）は第３ブックレットメニュー画面、である。
【図１８】本発明に係るメニューカテゴリを指定するための画面を説明するための図であり、（ｉ）は第４ブックレットメニュー画面、（ｉｉ）は第５ブックレットメニュー画面、（ｉｉｉ）は第６ブックレットメニュー画面、である。
【図１９】本発明の実施形態１の入力端末装置によるブックレット設定処理を説明するためのフローチャートである。
【図２０】本発明の実施形態１の入力端末装置によるブックレット着脱処理を説明するためのフローチャートである。
【図２１】本発明の実施形態１の入力端末装置によるキー入力処理を説明するためのフローチャートである。
【図２２】本発明の変形例２における入力端末装置の要部構成を示すブロック図である。
【図２３】図２２に示す入力端末装置に備わるライト部による、シートＡ面〜シートＦ面毎に相違する表示部の表示色を例示した図である。
【図２４】本発明の変形例３における入力端末装置において、表示部に表示される表示画面の上部にシート面表示欄を設けた状態を模式的に示した図である。
【発明を実施するための形態】
【００１２】
以下、本発明について、図面を用いて具体的な態様を説明する。ただし、発明の範囲は図示例に限定されない。なお、以下の説明では、図１における入力端末装置１の左右方向をＸ軸方向、前後方向をＹ軸方向、上下方向をＺ軸方向とする。
【００１３】
（実施形態１）
本実施形態に係る入力端末装置１は、例えば、飲食店等の店員（ユーザ）に使用され、
ゲストのメニューに対する注文を入力するハンディターミナルである。
入力端末装置１は、図１及び図２に示されるように、本体部２と蓋部３がヒンジ部４ａ，４ｂを介して連結されており、当該ヒンジ部４ａ，４ｂのＹ軸回りの回転に応じて閉じた状態と開いた状態とを切換えられるように構成され、開いた状態で当該入力端末装置１に装着されたブックレット５００が表示される。
【００１４】
ここで、ブックレット５００は、図３に示すように、略矩形状からなるブックレットシートが複数頁分（図３ではブックレットシート５０１〜５０４の４頁分）、ブックレットヒンジ部５０５により冊子状に綴られ、当該ブックレットヒンジ部５０５を介してユーザがめくり操作可能に構成されている。
また、上記ブックレットヒンジ部５０５には、図４に示すように、ＸＺ平面視で当該ブックレットヒンジ部５０５が形成する略円形状の空洞箇所に、磁石で形成された検知体５０５ａが取り付けられている。  
さらに、ブックレットシート５０２及び５０３のＸ軸方向の一方の端部には、Ｙ軸方向に沿って第１磁石５０２ａ及び第２磁石５０３ａが、各々のＹ軸方向位置が相違するように取り付けられている。
加えて、各ブックレットシート５０１〜５０４の片面又は両面には、分野ごとのメニューが印字されたシート面５１０（ブックレットシート５０１：シートＡ面５１０ａ、ブックレットシート５０２：シートＢ面５１０ｂ及びシートＣ面５１０ｃ、ブックレットシート５０３：シートＤ面５１０ｄ及びシートＥ面５１０ｅ、ブックレットシート５０４：シートＦ面５１０ｆ）が形成されている。以下では、ユーザのめくり操作により、シートＡ面５１０ａ〜シートＦ面５１０ｆの中で、本体部２側及び蓋部３側の上端に表示されるシート面５１０を表示面（図２の場合、本体部２の表示面がシートＣ面５１０ｃ、蓋部３の表示面がシートＤ面５１０ｄ）、と定義する。
なお、ブックレット５００に綴られたブックレットシートの頁数は、当然４頁に限定されるものでは無く、適宜の変更が可能である。
【００１５】
次に、図２〜図６を用いて入力端末装置１の各部について説明する。
【００１６】
入力端末装置１は、図２及び図３に示すように、入力端末装置１が開いた状態で、本体部２の後方位置に設けられた表示部１０と、蓋部３の後方位置に設けられた固定キー部２０と、表示部１０及び固定キー部２０の前方に設けられ、上面に載置されるブックレット５００を着脱させる着脱部３０と、ヒンジ部４ａとヒンジ部４ｂ間に設けられた着脱検知センサ部４０と、本体部２の左側端部及び蓋部３の右側端部に設けられた面検知センサ部５０と、着脱部３０の下方に設けられたキー入力検出部６０と、を含む。
【００１７】
表示部１０は、ＬＣＤ（Ｌｉｑｕｉｄ  Ｃｒｙｓｔａｌ  Ｄｉｓｐｌａｙ）、ＥＬＤ（ＥｌｅｃｔｒｏＬｕｍｉｎｅｓｃｅｎｔ  Ｄｉｓｐｌａｙ）等により構成され、各種文字や画像などからなる表示データを表示する表示処理を行う。
固定キー部２０は、テンキー、カーソルキー、電源キー、各種ファンクションキー等の固定キーであり、当該固定キーの押下操作による操作信号を後述の制御部１００に出力する。
着脱部３０は、ブックレット５００のブックレットヒンジ部５０５をヒンジ部４ａ，４ｂ間に収まるように配設させた状態で、ブックレットシート５０１及び５０４を上面に載置させて、ブックレット５００を入力端末装置１に装着させる。また、着脱部３０は、図３及び図５に示すように、ブックレットシート５０１及び５０４を上面に載置させた状態でブックレットシート５０１及び５０４のメニューが印字されていない面（シートＡ面５１０ａの反対面及びシートＦ面５１０ｆの反対面）と当接するカバーシート３１を含む。
【００１８】
着脱検知センサ部４０（着脱検知部）は、図３のＩＶ−ＩＶ断面図である図４に示すように、ヒンジ部４ａ，４ｂのケース４ｃ内部に配置された検知センサ４１と、検知センサ４１と接続されたセンサ基板４２と、を含んで構成される。ここで、図４の符号１ａは、入力端末装置１のケース部分である。
検知センサ４１は、例えば、ホール素子等の磁気センサであり、磁石等の磁性を帯びた物質の近接状態と離間状態とを検知し、制御部１００へ検知信号（近接状態：１，離間状態：０からなる信号）を出力する。そのため、図４に示すように、ブックレット５００を入力端末装置１に装着する場合、ブックレットヒンジ部５０５をケース４ｃの上面に当接する位置まで下降させると、検知センサ４１は検知体５０５ａの近接状態を検知し、ブックレット５００を入力端末装置１より取り外す場合、ブックレットヒンジ部５０５をケース４ｃの上面から上昇させると、検知センサ４１は検知体５０５ａの離間状態を検知する。つまり、検知センサ４１の出力する検知信号によって制御部１００は、ブックレット５００の着脱状態を把握できる。
【００１９】
面検知センサ部５０（面検知部）は、図３に示すように、本体部２の左側端部に設けられた第１センサ５１及び第２センサ５２と、蓋部３の右側端部に設けられた第３センサ５３及び第４センサ５４と、を含んで構成される。
第１センサ５１〜第４センサ５４は、例えば、ホール素子等の磁気センサであり、磁石等の磁性を帯びた物質の近接状態と離間状態とを検知し、制御部１００へ検知信号（近接状態：１，離間状態：０からなる信号）を出力する。
そして、ブックレット５００が入力端末装置１に装着された状態で、第１センサ５１は、ブックレットシート５０２が本体部２側にめくられた場合に第１磁石５０２ａの下面に当接する位置に、第３センサ５３は、ブックレットシート５０２が蓋部３側にめくられた場合に第１磁石５０２ａの下面に当接する位置に、それぞれ配設されている。また、第２センサ５２は、ブックレットシート５０３が本体部２側にめくられた場合に第２磁石５０３ａの下面に当接する位置に、第４センサ５４は、ブックレットシート５０３が蓋部３側にめくられた場合に第１磁石５０２ａの下面に当接する位置に、それぞれ配設されている。
そのため、例えば、図２のＶ−Ｖ断面図である図５に示すように、ブックレット５００を入力端末装置１に装着した状態で、ブックレットシート５０２を本体部２側にめくり、第１磁石５０２ａをケース１ａの上面に当接する位置まで下降させると、第１センサ５１は第１磁石５０２ａの近接状態を検知し、ブックレットシート５０２を蓋部３側にめくり第１磁石５０２ａをケース１ａの上面から上昇させると、第１センサ５１は第１磁石５０２ａの離間状態を検知する。
【００２０】
キー入力検出部６０（入力部）は、着脱部３０の下方に設けられ、図３に示すように、本体部２側及び蓋部３側の双方に亘ってマトリクス状に配置された複数の入力検出部６１を備え、ユーザによるブックレットシート５０１〜５０４のシート面５１０を介したキー入力操作を検出する（キー入力を行う）。
各入力検出部６１は、図６に示すように、着脱部３０のカバーシート３１の下方に取り付けられた押し子６１ａと、押し子６１ａと対向するように設けられたメタルドーム６１ｂと、メタルドーム６１ｂを下方より支持する回路基板６１ｃと、を含む。そして、押し子６１ａが下方に向けて付勢されることでメタルドーム６１ｂが押圧され、メタルドーム６１ｂが回路基板６１ｃ上の接点に接触することでキー入力が受付けられ、所定のキー入力信号を制御部１００へ出力するように構成されている。
【００２１】
ここで、シート面５１０（シートＡ面５１０ａ〜シートＦ面５１０ｆ）は、図７に示すように、複数のキー入力エリア５１１を備えて構成され、各キー入力エリア５１１に商品名等のメニューの項目が印字されている。そして、当該キー入力エリア５１１に応じて上記１又は複数の入力検出部６１が設けられている。具体的には、例えば、キー入力エリア５１１ａに対しては、入力検出部６１ａが設けられており、キー入力エリア５１１ｂに対しては、複数の入力検出部６１ｂ〜６１ｅが設けられている。
それぞれのシートＡ面５１０ａ〜シートＦ面５１０ｆについて、各キー入力エリア５１１に商品名等のメニューの項目が印字された状態を図８（ｉ）〜（ｖｉ）に例示する。なお、上述のように、図８（ｉｉｉ）（ｉｖ）に示すような、複数の入力検出部６１に対応するようにキー入力エリア５１１を設けてもよい。また、図８（ｖ）（ｖｉ）に示すように、キー入力エリア５１１に印字されるメニューの項目は、商品名に限られるものではなく、店舗内のテーブル情報（テーブル位置やテーブル番号）を印字したものであってもよい。
そして、図７において、本体部２側及び蓋部３側それぞれの各入力検出部６１に割り振られた番号（１番〜３２番）は、ユーザによるキー入力操作を受付けた位置をＣＰＵ１１０が判別するための番号である。そのため、ユーザが表示面に位置するシート面５１０の特定のキー入力エリア５１１についてキー入力操作を行うと、当該キー入力エリア５１１に対応する入力検出部６１を識別可能なキー入力が受付けられる。具体的には、図７の斜線で表示されたキー入力エリア５１１がキー入力操作された場合、本体部２側の１９番のキー入力信号を制御部１００へ出力する。また、図７のドットで表示されたキー入力エリア５１１がキー入力操作された場合、蓋部３側の２０番又は２１番のキー入力信号を制御部１００へ出力する。
【００２２】
次に、図９に示す入力端末装置１のブロック図を参照して、入力端末装置１の機能的構成について説明する。
【００２３】
入力端末装置１は、図９に示すように、入力端末装置１を統括制御する制御部１００を備える。そして、制御部１００は、通信部１５０と、電子音源部１６０と、表示部１０と、固定キー部２０と、着脱検知センサ部４０と、面検知センサ部５０と、キー入力検出部６０と、接続される。
【００２４】
制御部１００は、ＣＰＵ（Ｃｅｎｔｒａｌ  Ｐｒｏｃｅｓｓｉｎｇ  Ｕｎｉｔ）１１０と、ＲＡＭ（Ｒａｎｄａｍ  Ａｃｃｅｓｓ  Ｍｅｍｏｒｙ）１２０と、ＲＯＭ（Ｒｅａｄ  Ｏｎｌｙ  Ｍｅｍｏｒｙ）１３０と、を含んで構成され、入力端末装置１の各部を統括制御する。
【００２５】
ＣＰＵ１１０は、入力端末装置１の各部から入力される入力信号に応じて、ＲＯＭ１３０に記憶された各種プログラム（プログラムコード）を実行するとともに、実行にかかるプログラムに基づいて各部に出力信号を出力することにより、入力端末装置１の動作全般を統括制御するコンピュータとして機能する。
ＲＡＭ１２０は、ＣＰＵ１１０によって実行される処理プログラムなどを展開するためのプログラム格納領域や、入力データや上記処理プログラムが実行される際に生じる処理結果などを一時的に格納するためのデータ格納領域などを備える。具体的には、ＲＡＭ１２０は、例えば、ＣＰＵ１１０が上記各種プログラムを実行する際に使用するフラグ（後述するブックレット変更フラグやブックレット交換フラグ）の値、後述する商品登録バッファデータなどを一時的に記憶する。
【００２６】
ＲＯＭ１３０は、例えば、入力端末装置１で実行可能なシステムプログラムや、当該システムプログラムで実行可能な各種処理プログラム、上記処理プログラムを実行する際に使用されるデータなどを記憶する。具体的には、ＲＯＭ１３０は、ブックレットテーブル１３１（テーブル）と、機能テーブル１３２（テーブル）と、特定プログラムと、出力処理プログラムと、指定プログラムと、などを記憶する。
【００２７】
通信部１５０は、赤外線通信や無線ＬＡＮ通信等の無線通信用のインターフェースから構成され、ＣＰＵ１１０の制御に基づいて、ＯＥＳで用いられる各種端末や装置に対して各種データを送信する。具体的には、後述するＲＡＭ１２０に一時記憶された商品登録バッファデータをレジスタ装置やプリンタ等に送信する処理を行う。
【００２８】
電子音源部１６０（音源部）は、ＤＴＭＦ（Ｄｕａｌ−Ｔｏｎｅ  Ｍｕｌｔｉ−Ｆｒｅｑｕｅｎｃｙ）信号の信号音（音色）を出力する。ＤＴＭＦ信号は、例えば、図１０に示すように、可聴帯域中の高群側と低群側とのそれぞれにおいて互いに調音の関係にない４つの信号について、高群側の信号の一つと低群側の信号の一つとを組み合わせた計１６種類の信号である。そして、    
電子音源部１６０は、ＣＰＵ１１０の制御に基づいて、ユーザがシート面５１０のキー入力エリア５１１に対するキー入力操作を行った際、図１０に示すように、当該キー入力操作に該当するシートＡ面５１０ａ〜シートＦ面５１０ｆ毎に上記組み合わせを設定しておくことで、異なる種類のＤＴＭＦ信号の信号音を出力できる。
【００２９】
次に、ＲＯＭ１３０に記憶された特定プログラムについて説明する。
【００３０】
特定プログラムは、ユーザがキー入力操作を行ったブックレット５００のシート面５１０及びキー入力エリア５１１を特定する機能をＣＰＵ１１０に実行させるためのプログラムである。
具体的には、図１１（ｉ）に示すように、ユーザがブックレット５００を入力端末装置１に装着させて、ブックレットシート５０２及びブックレットシート５０３を蓋部３側にめくる操作を行い、シートＡ面５１０ａ及びシートＢ面５１０ｂを表示面にし、当該表示面に係るキー入力エリア５１１のキー入力操作を行ったものとする。
すると、ＣＰＵ１１０は、特定プログラムを実行し、面検知センサ部５０より第１センサ５１〜第４センサ５４の検知信号を取得する。この場合、ブックレットシート５０２及びブックレットシート５０３が蓋部３側にめくられているので、第３センサ５３と第１磁石５０２ａ，第４センサ５４と第２磁石５０２ｂ，がそれぞれ当接することになるため、第１センサ５１〜第４センサ５４の検知信号は、順に０，０，１，１となる。さらに、ＣＰＵ１１０は、入力検出部６１よりキー入力信号を取得し、当該キー入力信号が本体部２側の入力検出部６１より取得されたものであるか、又は蓋部３側の入力検出部６１より取得されたものであるか、を判別する。そして、ＣＰＵ１１０は、本体部２側であると判別した場合は、ユーザがキー入力操作を行ったシート面５１０をシートＡ面５１０ａと特定し、蓋部３側であると判別した場合は、ユーザがキー入力操作を行ったシート面５１０をシートＢ面５１０ｂと特定できる。
上記特定手順は、図１１（ｉｉ）に示すシートＣ面５１０ｃ及びシートＤ面５１０ｄを表示面とした（ブックレットシート５０２が本体部２側，ブックレットシート５０３が蓋部３側にめくられている）場合、図１１（ｉｉｉ）に示すシートＥ面５１０ｅ及びシートＦ面５１０ｆを表示面とした（ブックレットシート５０２及びブックレットシート５０３が本体部２側にめくられている）場合も同様である。ユーザが各シートＡ面５１０ａ〜シートＦ面５１０ｆに係るキー入力エリア５１１のキー入力操作を行った場合の、ＣＰＵ１１０が実行する上記特定手順に基づくシート面５１０の判定を図１２に示す。
【００３１】
さらに、ＣＰＵ１１０は、上記入力検出部６１より取得したキー入力信号において、図７に示される各入力検出部６１に割り振られた番号が何番であるかを確認することにより、キー入力エリア５１１の位置を特定することができる。そして、ＣＰＵ１１０は、上記特定したシート面５１０を表すアルファベット及びキー入力エリア５１１を表す番号で構成されるキーコード（例えば、シート面５１０がシートＡ面５１０ａで、キー入力エリア５１１に対応する入力検出部６１の番号が１１の場合、Ａ１１）を生成する。
【００３２】
次に、ＲＯＭ１３０に記憶されたブックレットテーブル１３１について説明する。
【００３３】
ブックレットテーブル１３１は、図１３に示すように、入力端末装置１に装着されたブックレット５００に設定するメニューカテゴリ（ブックレットの種類）と、当該メニューカテゴリに対応するブックレットＮｏ（ブックレット５００に設定するメニューカテゴリを識別するための番号）が複数記載されたテーブルである。ここで、メニューグループは、例えば、季節などに応じてメニューカテゴリをグループ分けしたものであり、メニュー名は、メニューグループ内で使用されるメニューの種類を表したものである。
そして、ＣＰＵ１１０が、後述する指定プログラムを実行することで、ユーザが入力端末装置１に装着されたブックレット５００を別のブックレット５００に交換する際に、当該ブックレットテーブル１３１に記載されたメニューカテゴリ（ブックレットＮｏ）の中から一のメニューカテゴリがユーザに指定されるように構成されている。
【００３４】
次に、ＲＯＭ１３０に記憶された機能テーブル１３２及び出力処理プログラムについて説明する。
【００３５】
機能テーブル１３２は、各シート面５１０のキー入力エリア５１１がキー入力操作された際に、ブックレット５００に指定された各メニューカテゴリ（ブックレットＮｏ）に応じて、ＣＰＵ１１０が出力処理プログラムを実行して実現する出力処理（キー出力）の内容を、シート面５１０単位で記載したテーブルである。そして、機能テーブル１３２は、キーコードと、当該キーコードがキー入力操作された際にＣＰＵ１１０が実現する出力処理の内容（ファンクション）と、当該ファンクションを実行する上で必要な情報と、がシート面５１０単位で（キーコードごとに）記載されている。
【００３６】
上記機能テーブル１３２の具体例を図１４（ｉ）（ｉｉ）及び図１５（ｉ）（ｉｉ）に示す。
ここで、図１４（ｉ）（ｉｉ）及び図１５（ｉ）（ｉｉ）は、ブックレットＮｏが１００１（メニューカテゴリが春メニューのディナーメニュー）である場合の機能テーブル１３２であり、それぞれ、図８（ｉ）（ｉｉｉ）及び図８（ｖ）（ｖｉ）のシート面５１０に対応する。  
そして、例えば、ブックレットＮｏが１００１に指定された状態で、ユーザが図８（ｉ）の「ヘルシー和膳」に対応するキー入力エリア５１１（シート面５１０がシートＡ面５１０ａで、入力検出部６１の番号が６に対応するキー入力エリア５１１）のキー入力操作を行った場合、ＣＰＵ１１０は、特定プログラムの実行により生成するＡ６のキーコードに基づいて、出力処理プログラムを実行し、図１４（ｉ）のキーコードがＡ６の欄を読み取り、商品コードが「ヘルシー和膳」を表す「０２−０Ａ−０００６」の「商品登録」機能を実行する。
また、例えば、図８（ｉｉｉ）の「中生ビール」のように、キー入力エリア５１１が複数の入力検出部６１（入力検出部６１の番号が６，７，１４，１５）に対応する場合、図１４（ｉｉ）の、キーコードがＣ６，Ｃ７，Ｃ１４，Ｃ１５の欄に示すように、各欄の商品コードが「中生ビール」を表す同じ「０１−０Ｃ−０００６」が記載されているため、ＣＰＵ１１０は、上記キー入力エリア５１１に対応する何れの入力検出部６１よりキー入力信号が出力されても同じ「商品登録」機能を実行できる。
さらに、例えば、図８（ｖ）（ｖｉ）に示すように、メニューの項目としてキー入力エリア５１１にテーブル情報が印字されているような場合、ユーザが何れかのキー入力エリア５１１のキー入力操作を行うと、図１５（ｉ）（ｉｉ）に示すように、ＣＰＵ１１０は、当該キー入力エリア５１１に対応したキーコードの欄より「テーブル番号」を読み取り、「テーブル設定」機能によって、ユーザが注文を受けたゲストの位置するテーブルの番号（テーブル番号）を設定できる。
【００３７】
ここで、ＣＰＵ１１０は、「商品登録」機能や「テーブル設定」機能を実行した場合、図１６に示すように、テーブル番号、注文を受けた商品の商品コード，当該商品の単価，注文を受けた個数、等を商品登録バッファデータとして一時的にＲＡＭ１２０に記憶する。
そして、ＣＰＵ１１０は、ユーザが図８（ｉ）（ｉｉｉ）の「送信」に対応するキー入力エリア５１１（入力検出部６１の番号が２５に対応するキー入力エリア５１１）のキー入力操作を行った場合、ＣＰＵ１１０は、図１４（ｉ）のキーコードがＡ２５や図１４（ｉｉ）のキーコードがＣ２５の欄を読み取り、「送信」機能により、当該商品登録バッファデータを通信部１５０を介してレジスタ装置やプリンタ等に送信できる。なお、上記商品登録バッファデータ上の商品の単価は、商品コードごとに単価の記載されたテーブル（図示省略）よりＣＰＵ１１０が抽出する。
【００３８】
次に、ＲＯＭ１３０に記憶された指定プログラムについて説明する。
【００３９】
指定プログラムは、ブックレットテーブル１３１に記載されたメニューカテゴリ（ブックレットＮｏ）の中から、ブックレット５００に設定する一のメニューカテゴリを、固定キー部２０を介してユーザに指定させる機能をＣＰＵ１１０に実行させるプログラムである。
具体的には、ユーザが入力端末装置１に装着されたブックレット５００を別のブックレット５００に交換する際、ＣＰＵ１１０は、表示部１０を表示制御して、図１７（ｉ）に示すような操作メニュー画面８０１を表示させる。
次に、当該操作メニュー画面８０１にて、ユーザが「ブックレットの変更」を固定キー部２０を介して選択すると、ＣＰＵ１１０は、図１７（ｉｉ）に示すような第１ブックレットメニュー画面８０２を表示させ、交換後のブックレット５００に設定するメニューカテゴリの設定方法をユーザに選択させる。
【００４０】
そして、当該第１ブックレットメニュー画面８０２にて、ユーザが「ブックレットＮｏで選択」を固定キー部２０を介して選択した場合、ＣＰＵ１１０は、図１７（ｉｉｉ）に示すような第２ブックレットメニュー画面８０３を表示させ、交換後のブックレット５００に設定するメニューカテゴリに応じたブックレットＮｏをユーザに直接入力させる。
さらに、当該第２ブックレットメニュー画面８０３にて、ブックレットＮｏをユーザに入力されると、ＣＰＵ１１０は、ブックレットテーブル１３１より当該ブックレットＮｏに該当するメニューカテゴリを抽出し、抽出した内容を図１７（ｉｖ）に示すような第３ブックレットメニュー画面８０４に表示させる。
なお、ブックレットＮｏは、図８（ｉ）に示すように、ブックレット５００のシート面５１０（図８（ｉ）の左下箇所「Ｎｏ：１００１」）に印字されているため、ユーザは当該印字されたブックレットＮｏを入力することで、交換後のブックレット５００に応じた正確なメニューカテゴリを指定することが出来る。
【００４１】
一方で、図１７（ｉｉ）に示す第１ブックレットメニュー画面８０２にて、ユーザが「一覧から選択」を固定キー部２０を介して選択した場合、ＣＰＵ１１０は、図１８（ｉ）に示すような第４ブックレットメニュー画面８０５を表示させ、交換後のブックレット５００に設定するメニューグループを、固定キー部２０を介して一覧から選択させる。
そして、当該第４ブックレットメニュー画面８０５にて、メニューグループをユーザに選択されると、ＣＰＵ１１０は、図１８（ｉｉ）に示すような第５ブックレットメニュー画面８０６を表示させ、交換後のブックレット５００に設定するメニュー名を一覧から選択させる。
さらに、当該第５ブックレットメニュー画面８０６にて、メニュー名をユーザに選択されると、ＣＰＵ１１０は、ブックレットテーブル１３１より当該メニューグループ及びメニュー名に該当するブックレットＮｏを抽出し、抽出した内容を図１８（ｉｉｉ）に示すような第６ブックレットメニュー画面８０７に表示させる。
【００４２】
「ブックレット設定処理」
次に、本実施形態に係る入力端末装置１によるブックレット設定処理について図１９のフローチャートを用いて説明する。
【００４３】
まず、ユーザが入力端末装置１に装着されたブックレット５００を別のブックレット５００に交換する際、表示部１０に表示される操作メニュー画面８０１を介して「ブックレットの変更」を選択すると、ＣＰＵ１１０は、表示部１０を表示制御して、第１ブックレットメニュー画面８０２を表示する（ステップＳ１）。
次いで、ＣＰＵ１１０は、ステップＳ１の第１ブックレットメニュー画面８０２にて、ユーザが「ブックレットＮｏで選択」を選択したか否かを判断する（ステップＳ２）。
【００４４】
次いで、ＣＰＵ１１０は、ステップＳ２にて「ブックレットＮｏで選択」を選択したと判断する場合（ステップＳ２；Ｙｅｓ）、第２ブックレットメニュー画面８０３を表示し、ブックレットＮｏがユーザに入力されたか否かを判断する（ステップＳ３）。そして、ＣＰＵ１１０は、ステップＳ３にて入力されていないと判断する場合（ステップＳ３；Ｎｏ）、入力されるまで待機する。
一方で、ＣＰＵ１１０は、ステップＳ３にて入力されたと判断する場合（ステップＳ３；Ｙｅｓ）、当該入力されたブックレットＮｏに対応するメニューカテゴリをブックレットテーブル１３１より抽出する（ステップＳ４）。
次いで、ＣＰＵ１１０は、ステップＳ４にてメニューカテゴリの抽出に成功したか否かを判断（ブックレットテーブル１３１に当該ブックレットＮｏに対応するメニューカテゴリが存在するか否かを判断）する（ステップＳ５）。そして、ＣＰＵ１１０は、ステップＳ５にてメニューカテゴリの抽出に失敗したと判断する場合（ステップＳ５；Ｎｏ）、ステップＳ１以降の処理を繰り返す。一方で、ステップＳ５にてメニューカテゴリの抽出に成功したと判断する場合（ステップＳ５；Ｙｅｓ）、ステップＳ８以降の処理へ進む。
【００４５】
次いで、ＣＰＵ１１０は、ステップＳ２にて「ブックレットＮｏで選択」を選択していない（「一覧から選択」を選択した）と判断する場合（ステップＳ２；Ｎｏ）、第４ブックレットメニュー画面８０５及び第５ブックレットメニュー画面８０６を表示し、ユーザがメニューカテゴリ（メニューグループ及びメニュー名）を一覧から選択したか否かを判断する（ステップＳ６）。そして、ＣＰＵ１１０は、ステップＳ６にてメニューグループ及びメニュー名をユーザが選択していないと判断する場合（ステップＳ６；Ｎｏ）、選択されるまで待機する。
一方で、ＣＰＵ１１０は、ステップＳ６にてメニューグループ及びメニュー名をユーザが選択したと判断する場合（ステップＳ６；Ｙｅｓ）、当該選択されたメニューグループ及びメニュー名に対応するブックレットＮｏをブックレットテーブル１３１より抽出する（ステップＳ７）。
【００４６】
次いで、ＣＰＵ１１０は、ステップＳ３にて入力された又はステップＳ７にて抽出したブックレットＮｏにて現在設定されているブックレットＮｏの更新処理を行う（ステップＳ８）。次いで、ＣＰＵ１１０は、ＲＡＭ１２０に記憶されたブックレット変更フラグを１に設定し（ステップＳ９）、ブックレット交換フラグを０に設定する（ステップＳ１０）。
【００４７】
次いで、ＣＰＵ１１０は、ブックレット交換フラグが１であるか否かを判断し（ステップＳ１１）、ブックレット交換フラグが１でないと判断する場合（ステップＳ１１；Ｎｏ）、後述する「ブックレット着脱処理」が実行されるまで待機する（ステップＳ１２）。
一方で、ＣＰＵ１１０は、ステップＳ１１にてブックレット交換フラグが１であると判断する場合（ステップＳ１１；Ｙｅｓ）、ブックレット変更フラグを０に設定し（ステップＳ１３）、ブックレット交換フラグを０に設定して（ステップＳ１４）、本処理を終了する。
【００４８】
「ブックレット着脱処理」
次に、本実施形態に係る入力端末装置１によるブックレット着脱処理について図２０のフローチャートを用いて説明する。ここで、当該ブックレット着脱処理は、ユーザがゲストからの注文を入力している最中に入力端末装置１よりブックレット５００が取り外された場合や、ユーザが入力端末装置１に装着されたブックレット５００を別のブックレット５００に交換する際に実行される処理である。
【００４９】
まず、ユーザがブックレット５００を取り外すと、着脱検知センサ部４０の検知センサ４１より出力される検知信号に基づいて、ＣＰＵ１１０は、ブックレット５００の取り外し状態を検知する（ステップＳ２１）。
次いで、ＣＰＵ１１０は、表示部１０を表示制御して、現在設定されているブックレットＮｏとともに、「ブックレットを装着してください」等のメッセージにより、ブックレット５００の装着を促す旨を表示する（ステップＳ２２）。
次いで、ＣＰＵ１１０は、着脱検知センサ部４０の検知センサ４１より出力される検知信号に基づいて、ブックレット５００が装着されたか否かを判断し（ステップＳ２３）、装着されていないと判断した場合（ステップＳ２３；Ｎｏ）、装着されるまで待機する。
一方で、ＣＰＵ１１０は、ステップＳ２３にて装着されたと判断した場合（ステップＳ２３；Ｙｅｓ）、ブックレット変更フラグが１であるか否かを判断する（ステップＳ２４）。
そして、ＣＰＵ１１０は、ステップＳ２４にてブックレット変更フラグが１であると判断した場合（ステップＳ２４；Ｙｅｓ）、ブックレット交換フラグを１に設定し（ステップＳ２５）、本処理を終了する。一方、ＣＰＵ１１０は、ステップＳ２４にてブックレット変更フラグが０であると判断した場合（ステップＳ２４；Ｎｏ）、ブックレット交換フラグの設定を行わずに本処理を終了する。
【００５０】
「キー入力処理」
次に、本実施形態に係る入力端末装置１によるキー入力処理について図２１のフローチャートを用いて説明する。
【００５１】
まず、ＣＰＵ１１０は、入力検出部６１よりキー入力信号を取得したか否かにより、ユーザによってキー入力操作がなされたか否かを判断し（ステップＳ３１）、キー入力操作がなされていないと判断する場合（ステップＳ３１；Ｎｏ）、キー入力操作がなされるまで待機する。
次いで、ＣＰＵ１１０は、ステップＳ３１にてキー入力操作がなされたと判断する場合（ステップＳ３１；Ｙｅｓ）、特定プログラムの実行により、ユーザがキー入力操作を行ったシート面５１０（及びキー入力エリア５１１）を特定し、キーコードを生成する（ステップＳ３２）。
次いで、ＣＰＵ１０は、キー入力操作がなされたシート面５１０に対応するＤＴＭＦ信号の信号音を出力することで、当該キー入力操作がなされたシート面５１０がシートＡ面５１０ａ〜シートＦ面５１０ｆの何れであるかをユーザに報知する（ステップＳ３３）。
次いで、ＣＰＵ１１０は、現在設定されているブックレットＮｏを確認し、当該ブックレットＮｏに該当する機能テーブル１３２を取得する（ステップＳ３４）。
次いで、ＣＰＵ１１０は、ステップＳ３４にて取得した機能テーブル１３２より、ステップＳ３２にて生成したキーコードに該当するファンクションを取得する（ステップＳ３５）。
次いで、ＣＰＵ１１０は、ステップＳ３５にて取得したファンクションの種類を判断する（ステップＳ３６）。
【００５２】
まず、ＣＰＵ１１０は、ステップＳ３６にてファンクションの種類が「送信」であると判断した場合（ステップＳ３６；１．「送信」）、商品登録バッファデータを通信部１５０を介してレジスタ装置やプリンタ等に送信し（ステップＳ３７）、当該商品登録バッファデータを初期化して（ステップＳ３８）、本処理を終了する。
【００５３】
次いで、ＣＰＵ１１０は、ステップＳ３６にてファンクションの種類が「商品登録」であると判断した場合（ステップＳ３６；２．「商品登録」）、機能テーブル１３２において、ステップＳ３２にて生成したキーコードに該当する商品コードを取得し、商品登録バッファデータに当該商品コードを追加する処理を行い（ステップＳ３９）、ステップＳ３１以降の処理を繰り返す。
【００５４】
また、ＣＰＵ１１０は、ステップＳ３６にてファンクションの種類が「商品登録」や「送信」以外のその他のものであると判断した場合（ステップＳ３６；３．「その他」）、当該その他のファンクションが「テーブル設定」であるか否かを判断する（ステップＳ４０）。
そして、ＣＰＵ１１０は、ステップＳ４０にてファンクションの種類が「テーブル設定」であると判断した場合（ステップＳ４０；Ｙｅｓ）、機能テーブル１３２において、ステップＳ３２にて生成したキーコードに該当するテーブル番号を取得し、商品登録バッファデータに当該テーブル番号を追加する処理を行い（ステップＳ４１）、ステップＳ３１以降の処理を繰り返す。
一方で、ＣＰＵ１１０は、ステップＳ４０にてファンクションの種類が「テーブル設定」でないと判断した場合（ステップＳ４０；Ｎｏ）、例えば、ゲストに注文された商品に対する付加情報（当該商品の注文数、当該商品の焼き加減など）を商品登録バッファデータに追加する処理、等のその他の処理を実行し、（ステップＳ４２）、ステップＳ３１以降の処理を繰り返す。
【００５５】
以上により、本実施形態における入力端末装置１は、ブックレット５００が着脱部３０を介して着脱可能であり、ブックレットテーブル１３１に記載されたメニューカテゴリの中から、装着したブックレット５００のメニューカテゴリをユーザが固定キー部２０を介して指定可能に構成されている。そして、ＣＰＵ１１０は、ユーザがキー入力検出部６０を介してブックレットシート５０１〜５０４のキー入力エリア５１１に対するキー入力操作を行うと、上記指定されたメニューカテゴリに応じた機能テーブル１３２より、当該キー入力操作されたキー入力エリア５１１の出力処理の内容を取得し、各種出力処理を実行できる。そのため、入力端末装置１によると、ブックレットシート５０１〜５０４の各キー入力エリア５１１に、カテゴリに応じたメニューの項目を印字しておくことで、ユーザは、当該入力端末装置１に装着するブックレット５００を交換するだけで容易にカテゴリに応じたメニューの切換え操作を行うことができる。また、各ブックレットシート５０１〜５０４に対するユーザのキー入力操作は、同じキー入力検出部６０を介して検出されるように構成されており、各ブックレットシート５０１〜５０４に、スイッチパッドや回路パターン等を必要としないので、製造コストが嵩まない。
したがって、入力端末装置１及び制御部１００が実行するプログラムは、カテゴリに応じたメニューの切換え操作が容易で且つ製造コストを抑えた入力端末装置及びプログラムといえる。
【００５６】
また、入力端末装置１は、ブックレット５００が着脱部３０に装着された状態と着脱部３０より取外された状態とを検知する着脱検知センサ部４０を備える。そのため、ユーザがゲストからの注文を入力している最中に入力端末装置１よりブックレット５００が取り外された場合や、ユーザが入力端末装置１に装着されたブックレット５００を交換する際にブックレット５００が取り外された場合を検知できるので、その都度ブックレット５００の装着をユーザに促すことが可能となる。
【００５７】
また、着脱検知センサ部４０は、ブックレット５００に設けられた磁石からなる検知体５０５ａを検知する検知センサ４１で磁気的に検知するように構成されているため、上記ブックレット５００の着脱状態を容易に検知できるとともに、製造コストが嵩まない。
【００５８】
また、ブックレットシート５０１〜５０４は、それぞれ複数のキー入力エリア５１１からなるシート面５１０を片面又は両面に有し、ユーザのめくり操作により表示されるシート面５１０を磁気的に検知する面検知センサ部５０を備え、ＣＰＵ１１０は、面検知センサ部５０により検知されたシート面５１０とキー入力検出部６０を介して特定されるキー入力エリア５１１とに基づいてキーコードを生成し、機能テーブル１３２より当該キーコードに該当するファンクションを実行する。つまり、入力端末装置１は、めくり操作により表示されるシート面５１０及びキー入力エリア５１１に応じたファンクションを実行することができるので、シート面５１０ごとにメニューを分野分け等することが可能となり、入力端末装置１はユーザにとって使い勝手が良い。
【００５９】
また、入力端末装置１は、複数のＤＴＭＦ信号の信号音を出力可能な電子音源部１６０を備え、ＣＰＵ１１０は、キー入力検出部６０がキー入力操作を検出した際に、電子音源部１６０により面検知センサ部５０及び特定プログラムの実行により特定したシート面５１０に応じて異なる音色を出力する制御を行うことができる。つまり、ユーザは聴覚を介してキー入力操作を行ったシート面５１０を確認できるので、誤操作等を防止できる。
【００６０】
（変形例１）
入力端末装置１の変形例１について説明する。
上記実施形態１では、図４に示すように、ＸＺ平面視でブックレットヒンジ部５０５が形成する略円形状の空洞箇所に取り付けられた検知体５０５ａは、磁石で形成されたものとしたが、ＲＦＩＤ（Ｒａｄｉｏ  Ｆｒｅｑｕｅｎｃｙ  ＩＤｅｎｔｉｆｉｃａｔｉｏｎ）タグなどの非接触ＩＤタグとしてもよい。この場合、当該検知体５０５ａに記憶可能なＩＤを上記ブックレットＮｏに対応付けておき、検知センサ４１としてＲＦＩＤリーダなどの非接触ＩＤタグの読取り処理が可能なセンサ（非接触ＩＤ検知センサ）を用いることで、ブックレット５００の着脱状態を検知可能であるとともに、ユーザによって装着されたブックレット５００に適したメニューカテゴリ（ブックレットＮｏ）を即座にブックレットテーブル１３１より抽出できる。
【００６１】
つまり、本変形例１に係る入力端末装置１によると、実施形態１のように固定キー部２０を介してユーザがメニューカテゴリを指定する必要が無く、ＣＰＵ１１０がブックレット５００毎に適したメニューカテゴリを指定できるので、ユーザの利便性の向上が期待できる。
【００６２】
（変形例２）
実施形態１の入力端末装置１の変形例２である入力端末装置１０００について、図２２及び図２３を用いて説明する。
以下の入力端末装置１０００の説明において、実施形態１に係る入力端末装置１と同様の構成については同じ符号を付し、説明を省略する。
【００６３】
図２２に示すように本変形例２に係る入力端末装置１０００は、入力端末装置１に備わる電子音源部１６０に換えて、ライト部１７０を備える点で、実施形態１に係る入力端末装置１と相違する。
【００６４】
ライト部１７０（照明部）は、例えば、表示部１０を照明するＬＣＤ用のカラーバックライトである。そして、ライト部１７０は、ＲＧＢ色等の複数色の発光が可能なカラー発光ダイオード（ＬＥＤ）などの光源により構成されており、点灯色を逐次時間切換えすることにより、表示部１０の表示画面上でカラー表示を行う。そのため、ライト部１７０は、ＣＰＵ１１０の制御に基づいて、ユーザがシート面５１０のキー入力エリア５１１に対するキー入力操作を行った際、図２３に示すように、当該キー入力操作に該当するシートＡ面５１０ａ〜シートＦ面５１０ｆ毎に表示部１０を異なる表示色で照明することができる。
具体的には、図２１に示す「キー入力処理」に係るステップＳ３３において、ＣＰＵ１０は、キー入力操作がなされたシート面５１０に対応する表示色のカラー表示を表示部１０に表示する制御を行うことで、当該キー入力操作がなされたシート面５１０がシートＡ面５１０ａ〜シートＦ面５１０ｆの何れであるかをユーザに報知することができる。
【００６５】
つまり、本変形例２に係る入力端末装置１０００によると、実施形態１のように聴覚を介してユーザがキー入力操作を行ったシート面５１０を確認できる場合と異なり、表示部１０における表示色の相違により、ユーザは視覚を通じて当該シート面５１０を確認することができる。
【００６６】
（変形例３）
実施形態１の入力端末装置１の変形例３について、図２４を用いて説明する。上記実施形態１では、図２１に示す「キー入力処理」に係るステップＳ３３において、キー入力操作がなされたシート面５１０に対応するＤＴＭＦ信号の信号音を出力することで、当該キー入力操作がなされたシート面５１０がシートＡ面５１０ａ〜シートＦ面５１０ｆの何れであるかをユーザに報知するように構成した。一方、本変形例３では、図２４に示すように、表示部１０に表示される表示画面８１０の上部にシート面表示欄８１１を設け、当該シート面表示欄８１１に、上記キー入力操作がなされたシートＡ面５１０ａ〜シートＦ面５１０ｆの何れかの名称を表示データとして表示することでユーザに報知するように構成する。
【００６７】
つまり、本変形例３に係る入力端末装置１によると、実施形態１のように聴覚を介してユーザがキー入力操作を行ったシート面５１０を確認できる場合と異なり、表示部１０にシート面５１０の名称が表示されるので、ユーザは視覚を通じて当該シート面５１０を確認することができる。
【００６８】
なお、以上の実施形態における記述は、本発明に係る好適な画像形成装置の一例であり、これに限定されるものではない。
また、以上の実施形態における画像形成装置を構成する各部の細部構成及び細部動作に関して本発明の趣旨を逸脱することのない範囲で適宜変更可能である。
【００６９】
例えば、上記実施形態では、入力端末装置１は、本体部２と蓋部３とにより構成されるものとしたが、本体部２のみを備える構成であっても勿論よい。
また、変形例１において、検知体５０５ａだけでなく第１磁石５０２ａ及び第２磁石５０３ａを磁石に換えて非接触ＩＤタグとし、第１センサ５１〜第４センサ５４を非接触ＩＤタグの読取り処理が可能な構成としても勿論良い。
さらに、変形例２において、入力端末装置１０００では、電子音源部１６０に換えてライト部１７０を備えるように構成したが、電子音源部１６０及びライト部１７０の双方を具備し、視覚及び聴覚を介してユーザがキー入力操作を行ったシート面５１０を一層確実に確認できる構成としても勿論良い。また、上記ライト部１７０は、表示部１０を照明するように構成したが、例えば、カバーシート３１の下方に取り付ける等により、ブックレット５００を図２３に示す各表示色で照明する構成としてもよい。
加えて、変形例３において、シート面表示欄８１１に表示するものは、シートＡ面５１０ａ〜シートＦ面５１０ｆの何れかの名称に限られず、ユーザがキー入力操作を行ったシート面５１０を確認できるもの（例えば、「定食類」「デザート」の様な当該シート面５１０に係るメニューの分類など）であれば何でもよい。
【００７０】
また、上記実施形態において、フローチャートに記述されている各機能は、コンピュータ(ＣＰＵ１１０)が読み取り可能なプログラムコードの形態で記録媒体（ＲＯＭ１３０）に格納されており、このプログラムコードにしたがったコンピュータ(ＣＰＵ)による処理動作が実行される。なお、伝送媒体を介して外部より伝送されてきた上述のプログラムコードに従ってコンピュータ(ＣＰＵ)による処理動作を実行することもでき、このような伝送媒体も含めて、本実施の形態では記録媒体と定義する。
【符号の説明】
【００７１】
１，１０００          入力端末装置
２                    本体部
３                    蓋部
１０                  表示部
２０                  固定キー部
３０                  着脱部
４０                  着脱検知センサ部
４１                  検知センサ
５０                  面検知センサ部
５１〜５４            第１センサ〜第４センサ
６０                  キー入力検出部
６１                  入力検出部
１００                制御部
１１０                ＣＰＵ
１３０                ＲＯＭ
１３１                ブックレットテーブル
１３２                機能テーブル
１５０                通信部
１６０                電子音源部
５００                ブックレット
５０１〜５０４        ブックレットシート
５０２ａ              第１磁石
５０３ａ              第２磁石
５０５                ブックレットヒンジ部
５０５ａ              検知体
５１０                シート面
５１０ａ〜５１０ｆ    シートＡ面〜シートＦ面
５１１                キー入力エリア
１７０                ライト部
【図１】
0005521653.tif 000002
【図２】
0005521653.tif 000003
【図３】
0005521653.tif 000004
【図４】
0005521653.tif 000005
【図５】
0005521653.tif 000006
【図６】
0005521653.tif 000007
【図７】
0005521653.tif 000008
【図８】
0005521653.tif 000009
【図９】
0005521653.tif 000010
【図１０】
0005521653.tif 000011
【図１１】
0005521653.tif 000012
【図１２】
0005521653.tif 000013
【図１３】
0005521653.tif 000014
【図１４】
0005521653.tif 000015
【図１５】
0005521653.tif 000016
【図１６】
0005521653.tif 000017
【図１７】
0005521653.tif 000018
【図１８】
0005521653.tif 000019
【図１９】
0005521653.tif 000020
【図２０】
0005521653.tif 000021
【図２１】
0005521653.tif 000022
【図２２】
0005521653.tif 000023
【図２３】
0005521653.tif 000024
【図２４】
0005521653.tif 000025